(57)【要約】      （修正有）【課題】対象獣類の捕獲経験が少なく高度な技術や知識が無い者であっても、簡単に獣類を群ごと捕獲することができる囲い罠、囲い罠に捕獲された獣類を安全且つ円滑に移動または屠殺するための囲い罠に接続可能な檻、及び、これらの囲い罠、檻両者を備えた檻付き囲い罠を提供する。【解決手段】屠殺室付き誘導捕獲柵罠１は、上段の視界を遮断する固定板５の外側に、入口となる下段の空間４１を落下により閉塞する、ロープ７にて吊設された視界を遮断する扉板６を有した天地開放状で平面視正方形の箱枠状に形成された誘導捕獲柵罠２と、誘導捕獲柵罠２の一隅に接続され、格子状の本体の入口を落下により閉塞するロープにて吊設された視界を遮断する扉板を有した平面視長方形の直方体状に形成された屠殺室３と、から構成されている。【選択図】図３
2014128223.tif 000002
【特許請求の範囲】
【請求項１】
周壁部により平面視多角形状に外周を囲んで獣類を捕獲する捕獲空間を形成する柵状の囲い罠であって、
前記捕獲空間に獣類が侵入可能な入口と、
前記入口を開閉する扉と、
前記扉の開閉動作を制御する扉開閉装置と、
を備え、
前記入口は、全方位にそれぞれ個別に設けられ、
前記扉は、前記入口それぞれに対応して設けられ、
前記扉開閉装置は、前記捕獲空間に獣類が侵入前は前記扉を開状態に保持し、前記捕獲空間に獣類が侵入すると即座に前記扉を作動させて該扉に対応する入口を閉塞する制御を、前記扉それぞれに対して個別に実行し得ること、
を特徴とする囲い罠。
【請求項２】
前記周壁部及び前記扉は、不透明に形成されていることを特徴とする請求項１に記載の囲い罠。
【請求項３】
周壁部により平面視多角形状に外周を囲んで獣類を捕獲する捕獲空間を形成する柵状の囲い罠に接続可能であり、前記囲い罠より小さく形成され、該囲い罠にて捕獲した獣類を内部空間に進入させて閉じ込め可能な檻であって、
前記囲い罠または外部から獣類が進入可能な前記捕獲空間と連通し得る入口面と、
前記入口面を開閉する入口扉と、
閉じることにより前記内部空間を仕切る間仕切り扉と、
前記内部空間に獣類が進入前は前記入口面を開状態に保持し、前記内部空間に獣類が進入すると即座に前記入口扉を作動させ、前記入口面を閉塞して前記内部空間に獣類を閉じ込める入口扉開閉装置と、
前記入口扉による前記入口面の閉塞前は前記間仕切り扉を開状態に保持し、前記内部空間に獣類が進入して前記入口扉による前記入口面の閉塞後は、前記間仕切り扉を閉じて前記内部空間を仕切ることにより該内部空間に閉じ込めた獣類を更に小さな内部小空間に閉じ込める間仕切り扉開閉装置と、
を備え、
前記入口扉及び前記間仕切り扉は、不透明に形成されていると共に、その他の面は格子状に形成されていること、
を特徴とする檻。
【請求項４】
外部空間と連通する出口面と、
前記出口面を開閉する格子状出口扉と、
を備え、
前記間仕切り扉は、前記入口扉と前記出口扉との間に回動可能に複数設けられ、
前記間仕切り扉開閉装置は、前記間仕切り扉を、前記内部空間側に突出するように所定角度回動して該内部空間を仕切るように作動させると共に、選択的に作動させて所定の前記内部小空間を形成し得ること、
を特徴とする請求項３に記載の檻。
【請求項５】
請求項１または請求項２に記載の囲い罠に、請求項３または請求項４に記載の檻を接続して成ることを特徴とする檻付き囲い罠。
【発明の詳細な説明】
【技術分野】
【０００１】
本発明は、猪や鹿等の獣類を捕獲する大型の囲い罠、囲い罠で捕獲した獣類を移動したり屠殺するための囲い罠に接続可能な檻、及び、これらの囲い罠、檻両者を備えた檻付き囲い罠に関する。
【背景技術】
【０００２】
近年、山間部近郊において猪や鹿等の野生動物による農作物被害が深刻化している。このような被害を防ぐため、従来から、群ごと捕獲が可能な大型の囲い罠を設け、これらの獣類を群ごと捕獲するようにしている。
【０００３】
囲い罠は、特許文献１、２（以下、従来技術ともいう）に示すように、天地開放状態で四方に柵体を巡らせ、所定の一方向に入口を設けて該入口に落し扉を設け、柵内に動物が入ると落し扉が閉まる仕掛けが施されている。
【先行技術文献】
【特許文献】
【０００４】
【特許文献１】特開２０００−３１６４５６号公報
【特許文献２】特開２００２−１７６９００号公報
【発明の概要】
【発明が解決しようとする課題】
【０００５】
しかしながら、従来技術による囲い罠では、四方に巡らせた柵体は格子状に形成されており、従って、柵内に入った捕獲獣からは外が見えるようになっている。このため、落し扉を閉じた瞬間や人が接近した際に、逃走を試みた捕獲獣が柵体に突進し、囲い罠本体を破損させる原因となっていた。
【０００６】
また、捕獲獣が柵体に衝突すると、捕獲獣が傷ついて肉を痛め、獣肉の資源活用に悪影響を及ぼすことがあった。なお、特許文献２では、柵上部を内側に傾斜させて該傾斜部分のみ外が見えないように構成されているが、斯かる構成では、依然として捕獲獣は柵体に突進するため、対策としては不十分であった。
【０００７】
また、従来技術による囲い罠では、一方向にしか入口がないので、群を形成する獣類の捕獲に際し、入口の設置場所や向きを対象獣の行動特性に合わせる必要がある。しかしながら、対象獣の行動特性に合わせて入口を移動させることは非常に困難であり、有効に入口を設置して対象獣の誘導を行うためには相当な知識が必要であった。加えて、一方向にしか入口がない構成では、間口が狭く、捕獲効率が悪いという問題点もあった。
【０００８】
更に、囲い罠において獣類を捕獲した際は、捕獲獣が柵の中を逃げ回るため、捕獲獣を追って別の檻に移動させたり、止め刺しをしたり（屠殺）することが困難であり、その結果、人が柵の中に入って捕獲獣を追ったり、止め刺しを行うか、柵の外から猟銃を用いて捕獲獣を仕留める等、即ち囲い罠で捕獲した後の獣類の処分は、危険な方法を取らざるを得なかった。
【０００９】
なお、特許文献１では、囲い罠で捕獲した獣類を移動させるための柵よりも小さい動物収容籠（檻）が該柵に接続されているが、動物収容籠は、柵と同様に格子状に形成されているので、斯かる構成では、捕獲獣を柵の外から動物収容籠へ追うことは容易ではなく、対策としては不十分であった。
【００１０】
本発明は、上記したような従来技術の課題に鑑みなされたもので、その目的とするところは、対象獣類の捕獲経験が少なく高度な技術や知識が無い者であっても、簡単に獣類を群ごと捕獲することができる囲い罠、囲い罠に捕獲された獣類を安全且つ円滑に移動または屠殺するための囲い罠に接続可能な檻、及び、これらの囲い罠、檻両者を備えた檻付き囲い罠を提供することにある。
【課題を解決するための手段】
【００１１】
このような問題を解決するために、本発明の囲い罠は、請求項１に記載したように、周壁部（固定板５）により平面視多角形状に外周を囲んで獣類を捕獲する捕獲空間を形成する柵状の囲い罠（誘導捕獲柵罠２）であって、前記捕獲空間に獣類が侵入可能な入口（空間４１）と、前記入口を開閉する扉（扉板６）と、前記扉の開閉動作を制御する扉開閉装置（トリガー装置５０）と、を備え、前記入口は、全方位にそれぞれ個別に設けられ、前記扉は、前記入口それぞれに対応して設けられ、前記扉開閉装置は、前記捕獲空間に獣類が侵入前は前記扉を開状態に保持し、前記捕獲空間に獣類が侵入すると即座に前記扉を作動させて該扉に対応する入口を閉塞する制御を、前記扉それぞれに対して個別に実行し得ること、を要旨とする。
【００１２】
つまり、本発明の囲い罠は、獣類が侵入可能な入口が全方位にそれぞれ個別に設けられており、また、これら個別に設けられた入口を開閉する扉が、入口それぞれに対応して設けられている。そして、扉開閉装置が、扉それぞれに対して、捕獲空間に獣類が侵入前は扉を開状態に保持し、捕獲空間に獣類が侵入すると即座に扉を作動させて該扉に対応する入口を閉塞する制御を個別に実行する。
【００１３】
従って、このように構成される本発明においては、獣類が侵入する囲い罠の入口は、対象獣に合わせて全方位に設けられた入口を選択的に開口できるようになっている。その結果、従来のように一方向に固定された単一の入口しかない囲い罠のように、入口の設置場所や向きを対象獣の行動特性に合わせる必要がない。また、入口を全て開口したときは、全方位が開口され、見通しがよくなって警戒されにくく、その結果、対象獣を全方位から囲い罠の捕獲空間内に群ごと容易に侵入させることができる。即ち、本発明の囲い罠は、対象獣の捕獲経験が少なく高度な技術や知識が無い者であっても、対象獣として警戒心の強い猪や鹿等の個体を、群ごと確実且つ効率よく侵入させて、簡単に捕獲することができるという極めて顕著な効果を奏する。
【００１４】
ここで、周壁部及び扉は、次のようにするとよい。即ち請求項２に記載の発明は、請求項１に記載の囲い罠において、前記周壁部（固定板５）及び前記扉（扉板６）は、不透明に形成されていることを要旨とする。
【００１５】
従って、このように構成される本発明においては、不透明に形成された周壁部及び扉により、囲い罠にて捕獲した対象獣は、囲い罠外への視界が遮断されるので、獣類の外が見える部分には突進して脱柵を試み、外が見えない部分には脱柵を試みない習性により、囲い罠本体へ突進して逃走を試みることがない。その結果、囲い罠本体の破損を防止できると共に、捕獲獣が傷ついて肉を痛めることなく美味しい肉を提供でき、獣肉を資源として有効活用できる。
【００１６】
また、本発明の檻は、請求項３に記載したように、周壁部（固定板５）により平面視多角形状に外周を囲んで獣類を捕獲する捕獲空間を形成する柵状の囲い罠（誘導捕獲柵罠２）に接続可能であり、前記囲い罠より小さく形成され、該囲い罠にて捕獲した獣類を内部空間（空間７０）に進入させて閉じ込め可能な檻（屠殺室３）であって、前記囲い罠または外部から獣類が進入可能な前記捕獲空間と連通し得る入口面（空間６４）と、前記入口
面を開閉する入口扉（扉板６５）と、閉じることにより前記内部空間を仕切る間仕切り扉（間仕切り板７５ａ、７５ｂ）と、前記内部空間に獣類が進入前は前記入口面を開状態に保持し、前記内部空間に獣類が進入すると即座に前記入口扉を作動させ、前記入口面を閉塞して前記内部空間に獣類を閉じ込める入口扉開閉装置（ロープ８０）と、前記入口扉による前記入口面の閉塞前は前記間仕切り扉を開状態に保持し、前記内部空間に獣類が進入して前記入口扉による前記入口面の閉塞後は、前記間仕切り扉を閉じて前記内部空間を仕切ることにより該内部空間に閉じ込めた獣類を更に小さな内部小空間（空間７０ａ、７０ｂ、７０ｃ、７０ｄ）に閉じ込める間仕切り扉開閉装置（ロープ７７ａ、７７ｂ）と、を備え、前記入口扉及び前記間仕切り扉は、不透明に形成されていると共に、その他の面（天部６１、底部６２、周部６３ｂ、６３ｃ、６３ｄ）は格子状に形成されていること、を要旨とする。
【００１７】
つまり、本発明の檻は、入口面から檻の内部空間内に対象獣が進入したら、入口扉開閉装置が入口扉を作動させ、入口面を閉塞して内部空間に対象獣を閉じ込める。そして、この状態で、間仕切り扉開閉装置が、間仕切り扉を閉じて内部空間を仕切ることにより、内部空間内に進入した対象獣をより小さな内部小空間に閉じ込める。しかも、この場合、入口扉及び間仕切り扉は、不透明に形成され、檻内の進入獣の入口扉及び間仕切り扉方向への視界を遮断するので、進入獣は、その習性により、入口扉及び間仕切り扉と反対側の視界が開けた格子状面の方向へと自然に移動する。
【００１８】
従って、このように構成される本発明においては、檻内の進入獣の行動範囲を狭め、この進入獣を捕獲、移動したり屠殺するために、人が檻の中に入って進入獣を追ったり、止め刺しをしたり、或いは、猟銃を用いて進入獣を仕留める必要がない。即ち、本発明の檻は、檻内の進入獣を狭い空間に暴れないように閉じ込めた後、檻の外から容易に補綴具等で捕獲、移動したり、ヤリ等で止め刺して屠殺することができ、その結果、極めて安全且つ容易に檻内の進入獣を処分することができるという極めて顕著な効果を奏する。
【００１９】
更に、檻の構成は、次のようにするとよい。即ち請求項４に記載の発明は、請求項３に記載の檻において、外部空間と連通する出口面と、前記出口面を開閉する格子状出口扉（周部６３ｃ）と、を備え、前記間仕切り扉（間仕切り板７５ａ、７５ｂ）は、前記入口扉（扉板６５）と前記出口扉との間に回動可能に複数設けられ、前記間仕切り扉開閉装置（ロープ７７ａ、７７ｂ）は、前記間仕切り扉を、前記内部空間（空間７０）側に突出するように所定角度回動して該内部空間を仕切るように作動させると共に、選択的に作動させて所定の前記内部小空間（空間７０ａ、７０ｂ、７０ｃ、７０ｄ）を形成し得ること、を要旨とする。
【００２０】
従って、このように構成される本発明においては、檻内の進入獣を容易に出口扉側へ移動させて捕獲、移動または屠殺することができる。加えて、間仕切り扉は、回動させることにより内部空間側に突出するよう構成したので、内部空間内で進入獣の移動を妨げることなく、スムーズに進入獣を内部小空間に閉じ込めることができ、その結果、極めて使い勝手がよく、好適となる。
【００２１】
また、本発明の檻付き囲い罠は、請求項５に記載したように、請求項１または請求項２に記載の囲い罠に、請求項３または請求項４に記載の檻を接続して成ることを要旨とする。従って、このように構成される本発明においては、囲い罠内に捕獲した対象獣は、檻だけが見通せるので、その習性により檻に向かって突進することとなり、その結果、囲い罠内の捕獲獣を容易に檻へ誘導して進入させることができるという極めて顕著な効果を奏する。
【００２２】
因みに、上記括弧内の名称及び符号は、後述する実施形態に記載の具体的手段等との主
な対応関係を示す一例であり、本発明（請求項１乃至請求項５）は、上記括弧内の名称及び符号に示された具体的手段等に限定されるものではない。
【図面の簡単な説明】
【００２３】
【図１】本実施形態に係わり、骨組みのみの誘導捕獲柵罠２を示した屠殺室付き誘導捕獲柵罠１の全体斜視図である。
【図２】本実施形態に係わり、図１の状態で空間４０に固定板５が固着された状態を示した屠殺室付き誘導捕獲柵罠１の全体斜視図である。
【００２４】
【図３】本実施形態に係わり、図２の状態で固定板５の外側に扉板６がロープ７で吊設され、空間４１が全て開口している状態を示した屠殺室付き誘導捕獲柵罠１の全体斜視図である。
【図４】本実施形態に係わり、図３の状態で扉板６が落下し、空間４１が全て閉塞している状態を示した屠殺室付き誘導捕獲柵罠１の全体斜視図である。
【００２５】
【図５】本実施形態に係わり、（Ａ）は図１のＡ−Ａ断面図、（Ｂ）は図２のＢ−Ｂ断面図、（Ｃ）は図３のＣ−Ｃ断面図、（Ｄ）は図４のＤ−Ｄ断面図、（Ｅ）（Ｆ）は、誘導捕獲柵罠２の四隅の中間に立設された支柱１０及び溝型鋼１１（図１〜図４において手前左側、図１〜図４において最も手前側）の平面図である。
【００２６】
【図６】本実施形態に係わり、図３または図４の状態における屠殺室付き誘導捕獲柵罠１の平面図である。
【図７】本実施形態に係わり、（Ａ）は扉板６５が開口されているときの屠殺室３の全体斜視図、（Ｂ）は扉板６５が閉口されているときの屠殺室３の全体斜視図である。
【００２７】
【図８】本実施形態に係わり、（Ａ）は間仕切り板７５ａ、７５ｂが開いている状態、（Ｂ）は間仕切り板７５ａが閉じ、間仕切り板７５ｂが開いている状態、（Ｃ）は間仕切り板７５ａ、７５ｂが閉じている状態、を示す屠殺室３の平面図である。
【発明を実施するための形態】
【００２８】
以下に、本発明の一実施形態を図と共に説明する。図１〜図４は、本実施形態の屠殺室付き誘導捕獲柵罠１の全体斜視図であり、図１は、骨組みのみの誘導捕獲柵罠２に屠殺室３が接続されている状態を示し、図２は、図１の状態で誘導捕獲柵罠２の骨組みに固定板５が固着された状態を示し、図３、４は、図２の状態で誘導捕獲柵罠２の骨組みに扉板６が上下にスライド可能に装着された状態であって、図３は、誘導捕獲柵罠２内に対象獣を捕獲する前の扉板６が開の状態、図４は、誘導捕獲柵罠２内に対象獣を捕獲した後の扉板６が閉の状態を示している。
【００２９】
屠殺室付き誘導捕獲柵罠１は、大別すると誘導捕獲柵罠２と屠殺室３から構成されており、まず誘導捕獲柵罠２の構成について説明する。誘導捕獲柵罠２は、図１に示すように、複数の支柱１０と、この支柱１０間に架設される角パイプ状の上横フレーム２０ａ、中横フレーム２０ｂ、下横フレーム２０ｃとで、天地開放状で平面視すると正方形の箱枠状に形成されている。誘導捕獲柵罠２は、例えば、正方形の一辺が４７８０ｍｍで、高さが
３０００ｍｍの大きさに形成され、その内部に複数の猪や鹿等の獣類を捕獲可能な大型の囲い罠として形成されるものである。
【００３０】
支柱１０は、スチール等の金属材から成り、誘導捕獲柵罠２の四隅と、四隅の中間に計８本立設され、更に後述する屠殺室３を接続するための１本が、四隅の特定の１本（図１において最も奥側の支柱１０）と対になって屠殺室３の接続空間３０を形成するように立設されている。
【００３１】
各フレーム２０ａ、ｂ、ｃは、支柱１０と同様にスチール等の金属材から成り、下横フレーム２０ｃは、支柱１０の下端に、上横フレーム２０ａは、支柱１０の上端に、中横フレーム２０ｂは、支柱１０の上横フレーム２０ａと下横フレーム２０ｃの中間の高さに、プレート溶接やボルト留め等でそれぞれ連結され、これらの支柱１０と各フレーム２０ａ、２０ｂ、２０ｃとで、複数の矩形窓状の空間４０、４１が形成されている。
【００３２】
空間４０、４１は、１方面に上下２段で２列（２×２）に各４ずつ形成され（４方面で合計１６）、屠殺室３の接続空間３０に同一平面上で隣接する２つ（図１において接続空間３０の右隣の２つの空間４０、４１）以外は、同じ大きさに形成されている。つまり、接続空間３０に隣接するこの２つの空間４０、４１は、接続空間３０の横幅分だけ小さく形成されている。なお、後述するが、上段に形成される８つの空間４０は、固定板５が固着されて閉塞されるようになっており、下段に形成される８つの空間４１は、対象獣が侵入する入口として機能すると共に、対象獣の侵入後は扉板６により閉塞されるようになっている。
【００３３】
ここで、支柱１０には、図５（Ａ）（Ｅ）（Ｆ）に示すように、その外側面に溝型鋼１１が一連全長に亘って溶接等で付設され、これによりスリット部１２が形成されている。このスリット部１２は、後述の扉板６が遊嵌される断面コの字状の溝である。溝型鋼１１は、支柱１０よりも長く、その上端が支柱１０の上端よりも所定長さだけ突出するように形成されている。また、溝型鋼１１の下端は、スリット部１２を閉塞して扉板６の下方へのスライド移動を規制するストッパー１３が設けられている。
【００３４】
なお、図５（Ａ）は、図１におけるＡ−Ａ断面図、図５（Ｅ）は、誘導捕獲柵罠２の四隅の中間に立設された支柱１０及び溝型鋼１１（図１において手前左側）の平面図、図５（Ｆ）は、誘導捕獲柵罠２の四隅に立設された支柱１０及び溝型鋼１１（図１において最も手前側）の平面図である。また、図５（Ｅ）（Ｆ）に示した以外の支柱１０及び溝型鋼１１の平面形状については、図示を省略するが、これらは図５（Ｅ）（Ｆ）に示した形状に準じて形成されるものである（例えば、後述する図６の円内拡大図参照）。
【００３５】
次に、図２、図５（Ｂ）を参照して、誘導捕獲柵罠２の上段に形成される８つの空間４０は、この空間４０より一回り大きく矩形に形成された固定板５が、ボルト８にて上横フレーム２０ａ、中横フレーム２０ｂに螺着されることにより閉塞されるようになっている。なお、図５（Ｂ）は、図２におけるＢ−Ｂ断面図である。固定板５は、ベニヤ板等の木材で形成され、特定の固定板５（図２において手前左側）には、円形の覗き穴５ａが穿設されている。この覗き穴５ａは、誘導捕獲柵罠２内に捕獲した対象獣の様子を見るためのものである。
【００３６】
次に、図３、図５（Ｃ）を参照して、固定板５の外側には、固定板５と略同じ大きさで矩形の扉板６が配置されるようになっており、この扉板６は、固定板５と同様にベニヤ板等の木材で形成され、その左右両端部がスリット部１２に遊嵌されて上下にスライド可能になっている。なお、図５（Ｃ）は、図３におけるＣ−Ｃ断面図である。
【００３７】
図中、７は、ロープであり、このロープ７は、その一端が扉板６上端の中央箇所に接続され、他端が誘導捕獲柵罠２内の略中央に立設されたトリガー装置５０に接続されている。つまり、扉板６は、図６に示すように、トリガー装置５０から放射状に延び、誘導捕獲柵罠２内に対象獣が侵入していない捕獲前の状態では、ロープ７により固定板５に外側からほぼ重なるよう吊った状態で配置（以下、このような配置を捕獲前配置ともいう）され、これにより、誘導捕獲柵罠２の下段に形成される８つの空間４１は、全て開口状態となる。従って、空間４１は、対象獣が侵入する誘導捕獲柵罠２の入口として機能する。
【００３８】
しかも、空間４１は、４方面全てに形成されるので、対象獣は全方位から誘導捕獲柵罠２に侵入することが可能になる。更に、空間４１は、猪や鹿等の対象獣の目線に合わせてその大きさが決められており、その結果、誘導捕獲柵罠２の見通しがよくなって対象獣に警戒されにくくなる。なお、図６は、図３または図４の状態における屠殺室付き誘導捕獲柵罠１の平面図である。
【００３９】
また、扉板６の下部には、外側に突出する長尺角材状の持ち手６ａが設けられており、一方で中横フレーム２０ｂの中央には、下側からボルト等で略三角爪状の係止部材２２が水平方向に回動自在に取り付けられている。
【００４０】
扉板６を上記したように捕獲前配置するには、以下の手順で行われる。即ち、持ち手６ａにて扉板６を適宜上下にスライドして高さ位置を調節し、扉板６の下端を係止部材２２に係止して一旦扉板６を仮止めする。そして、この状態でトリガー装置５０によりロープ７を張架状態に設定し、その後、係止部材２２を、扉板６の落下に支障しないよう例えば中横フレーム２０ｂと平行になるまで（略９０度）回動させて、該中横フレーム２０ｂの下側に隠すように扉板６から係脱すればよい。このようにすると、扉板６は、図３に示すような捕獲前配置、即ち開状態になる。
【００４１】
次に、図４、図５（Ｄ）を参照して、扉板６を捕獲前配置にセットした状態で誘導捕獲柵罠２内に空間４１から対象獣が侵入したら、即座にトリガー装置５０を作動し、扉板６を落下させて空間４１を閉塞する。なお、図５（Ｄ）は、図４におけるＤ−Ｄ断面図である。
【００４２】
つまり、扉板６は、誘導捕獲柵罠２内に対象獣が侵入するとほぼ同時にトリガー装置５０によりロープ７が延び、スリット部１２を摺動しながらストッパー１３に当接するまで下方に落下することで、誘導捕獲柵罠２の入口としての空間４１を閉塞するように配置（以下、このような配置を捕獲後配置ともいう）される。これにより、誘導捕獲柵罠２の下段に形成される８つの空間４１は、全て閉塞状態となり、従って、誘導捕獲柵罠２内に侵入した対象獣は捕獲される。
【００４３】
しかも、この扉板６が捕獲後配置されて（閉じて）いる状態では、誘導捕獲柵罠２の周囲は、その全面が屠殺室３の接続空間３０を除いて外が見えない壁になるので、捕獲獣は、誘導捕獲柵罠２本体（支柱１０、上・中・下横フレーム２０ａ、２０ｂ、２０ｃ、固定板５、扉板６等）へ突進することはなく、これにより誘導捕獲柵罠２本体が破損することを防止できる。そして、この状態では、誘導捕獲柵罠２において接続空間３０だけが捕獲獣から見通せるので、誘導捕獲柵罠２内の捕獲獣は屠殺室３に向かって突進し、これにより捕獲獣を容易に屠殺室３内に進入させることができる。
【００４４】
即ち、誘導捕獲柵罠２では、獣類の、外が見える部分には突進して脱柵を試み、外が見えない部分には脱柵を試みない習性を利用し、誘導捕獲柵罠２内に捕獲した対象獣を自然に屠殺室３（接続空間３０）へと追い込むようになっている。
【００４５】
ここで、誘導捕獲柵罠２内の略中央に立設されたトリガー装置５０は、その構成については詳しい説明は省略するが、例えばモーターやソレノイド等の電気的装置を用いて、扉板６を吊設しているロープ７の係止状態を遠隔操作で係脱可能に構成し、誘導捕獲柵罠２内に対象獣が侵入したら人為的にロープ７を係脱して扉板６を落下させ、空間４１を閉塞するようにすればよい。若しくは、誘導捕獲柵罠２内に対象獣が侵入したことを検知できるセンサーを配置し、センサーがオンしたら自動的にロープ７を係脱して扉板６を落下させるようにしてもよい。或いは、電気的装置を一切使用せず、全てメカニカルな装置にてトリガー装置５０を具現化するようにしてもよい。
【００４６】
なお、ロープ７は、扉板６が捕獲後配置されている状態であっても、図４に示すように、扉板６の捕獲前配置（図３参照）と同様に張架状態を保つように設定するとよい。このようにすると、捕獲獣がロープ７と接触することを防止でき、トリガー装置５０、延いては屠殺室付き誘導捕獲柵罠１の保守性が向上する。また、図示していないが、誘導捕獲柵罠２内の略中央のトリガー装置５０近傍には、対象獣をおびき寄せるための餌が配置されている。
【００４７】
次に、図１、図７、図８を主に参照しながら屠殺室３の構成について説明する。屠殺室３は、天部６１と、底部６２と、４つの周部６３ａ、６３ｂ、６３ｃ、６３ｄとから平面視すると長方形の略直方体状に形成されている。屠殺室３は、例えば、長方形の短辺が６００ｍｍ、長辺が２０００ｍｍで、高さが１８００ｍｍの大きさに形成され、その内部に空間７０を有し、誘導捕獲柵罠２にて捕獲した猪や鹿等の獣類を屠殺または移動可能な檻として形成されるものである。なお、図７は、屠殺室３の全体斜視図であり、図８は、屠殺室３の平面図である。
【００４８】
屠殺室３の天部６１、底部６２及び周部６３ｂ、６３ｃ、６３ｄは、スチール等の金属材により、矩形の枠と、この枠内に張設される格子部とから成っている。また、屠殺室３の周部６３ａは、同様にスチール等の金属材により矩形の枠に形成されるが、その高さは対向する周部６３ｃの略２倍の高さに形成されて天部６１より上方に突設されており、その内部には、上記固定板５や扉板６と同様にベニヤ板等の木材で形成された周部６３ｃと略同じ大きさの扉板６５が、上下にスライド可能に設けられている。
【００４９】
周部６３ａは、矩形の枠を成す一対の縦フレーム６６ａ、６６ｂと一対の横フレーム６７ａ、６７ｂとを有しており、縦フレーム６６ａ、６６ｂは、上記溝型鋼１１と同様に断面コの字状に形成され、その内側に扉板６５の左右両端を遊嵌する上記スリット部１２（図５参照）と同様のスリット部６８が形成されている。従って、扉板６５は、スリット部６８を上下に摺動することで、横フレーム６７ａ、６７ｂ間を移動可能となる。
【００５０】
図中、８０は、ロープであり、このロープ８０は、その一端が扉板６５上端の中央箇所に接続され、他端が天部６１の所定箇所に設けられた図示しない係止部材に係止されている。なお、ロープ８０は、上部の横フレーム６７ａに設けられた枠穴部６９に挿通後折り返されて、上記係止部材に係止されている。
【００５１】
つまり、扉板６５は、図７（Ａ）に示すように、対象獣が屠殺室３に進入する前では、周部６３ａを全開状態に保持して空間６４を形成するよう、ロープ８０で吊った状態に配置（以下、このような配置を進入前配置ともいう）され、従って、空間６４は、対象獣が進入する屠殺室３の入口として機能する。なお、図７（Ａ）は、扉板６５が進入前配置されているときの屠殺室３の斜視図である。
【００５２】
ここで、屠殺室３を誘導捕獲柵罠２に接続するには、図１〜図４に示すように、上記した誘導捕獲柵罠２の接続空間３０を形成している一対の支柱１０側面に屠殺室３の縦フレ
ーム６６ａ、６６ｂを沿わすように連設し、即ち、誘導捕獲柵罠２の接続空間３０に屠殺室３の周部６３ａを嵌合するように設置し、ボルト留め等で該支柱１０と縦フレーム６６ａ、６６ｂとを連結すればよい。これにより、屠殺室付き誘導捕獲柵罠１において、屠殺室３の扉板６５が進入前配置され開いているときは、誘導捕獲柵罠２の接続空間３０と屠殺室３の空間６４とが一体的に繋がり、誘導捕獲柵罠２内の捕獲獣は屠殺室３に進入可能となる。
【００５３】
次に、図７（Ｂ）に示すように、扉板６５を進入前配置にセットした状態で屠殺室３内に対象獣が進入したら、即座にロープ８０の上記係止部材との係止状態を解除し、扉板６５を落下させて空間６４を閉塞する。つまり、扉板６５は、屠殺室３内に対象獣が進入するとほぼ同時に上記係止部材からロープ８０を係脱することにより該ロープ８０が延び、スリット部６８を摺動しながら横フレーム６７ｂに当接するまで下方に落下することで、屠殺室３の入口としての空間６４を閉塞するように配置（以下、このような配置を進入後配置ともいう）される。これにより、屠殺室３の空間６４は閉塞状態となり、従って、誘導捕獲柵罠２から屠殺室３内に進入した対象獣は、再び誘導捕獲柵罠２には移動できずに屠殺室３の空間７０に閉じ込められる。
【００５４】
そして、この扉板６５が進入後配置されて（閉じて）いる状態では、周部６３ａ方向は扉板６５により外が見えない壁になるので、進入獣は、その習性により、視界が開けている周部６３ａと対向する奥側の周部６３ｃ方向へと移動する。なお、図７（Ｂ）は、扉板６５が進入後配置されているときの屠殺室３の斜視図である。
【００５５】
しかして、屠殺室３の一側面となる周部６３ｂには、図８（Ａ）に示すように、間仕切り板７５ａ、７５ｂがヒンジ７６ａ、７６ｂを介して回動自在に取り付けられている。この間仕切り板７５ａ、７５ｂは、扉板６５と同様にベニヤ板等の木材で該扉板６５及び周部６３ｃと略同じ大きさの矩形に形成されている。
【００５６】
図中、７７ａ、７７ｂは、ロープであり、このロープ７７ａ、７７ｂは、その一端が間仕切り板７５ａ、７５ｂ下部のヒンジ７６ａ、７６ｂと反対側の端部に接続され、他端が周部６３ｄ下端に内側に小さく突設されたストッパー片７８ａ、７８ｂの近傍から、該周部６３ｄの格子部の隙間を通って屠殺室３の外へ延出し、自由端となっている。
【００５７】
屠殺室３の空間７０に閉じ込められた進入獣は、上記したように、奥側の周部６３ｃ方向へと移動するので、このとき、タイミングを見計らってロープ７７ａの自由端を牽引し、図８（Ｂ）に示すように、間仕切り板７５ａを回動して空間７０を分断し、空間７０ａと空間７０ｂとに区画する。即ち、屠殺室３の空間７０に閉じ込められた進入獣を、更に小さな領域となる空間７０ｂに閉じ込める。
【００５８】
この際、間仕切り板７５ａは、ストッパー片７８ａに衝突して扉板６５（周部６３ａ）及び周部６３ｃと略並列状に停止する。そして、間仕切り板７５ａがこの定位置で停止したら、ロープ７７ａの自由端を適宜屠殺室３の格子部に括り付けて該間仕切り板７５ａを固定する（或いは、適宜屠殺室３に係止部材を設け、ロープ７７ａの自由端をこの係止部材に係止するようにしてもよい）。なお、空間７０ａは、空間７０ｂの略半分（空間７０の略１／３）の大きさになっている。
【００５９】
そして、間仕切り板７５ａが閉じて空間７０ｂに進入獣が閉じ込められている状態では、周部６３ａ方向は間仕切り板７５ａにより外が見えない壁になるので、進入獣は、その習性により、視界が開けている周部６３ａと対向する奥側の周部６３ｃ方向へと更に移動する。
【００６０】
屠殺室３の空間７０ｂに閉じ込められた進入獣は、上記したように、更に奥側の周部６３ｃ方向へと移動するので、このとき、タイミングを見計らってロープ７７ａの自由端を牽引し、図８（Ｃ）に示すように、間仕切り板７５ｂを回動して空間７０ｂを分断し、空間７０ｃと空間７０ｄとに区画する。即ち、屠殺室３の空間７０ｂに閉じ込められた進入獣を、更に小さな領域となる空間７０ｄに閉じ込める。
【００６１】
この際、間仕切り板７５ｂは、ストッパー片７８ｂに衝突して扉板６５（周部６３ａ）、間仕切り板７５ａ及び周部６３ｃと略並列状に停止する。そして、間仕切り板７５ｂがこの定位置で停止したら、ロープ７７ｂの自由端を適宜屠殺室３の格子部に括り付けて該間仕切り板７５ｂを固定する（或いは、適宜屠殺室３に係止部材を設け、ロープ７７ｂの自由端をこの係止部材に係止するようにしてもよい）。なお、空間７０ｃ、７０ｄは、空間７０ａと略同一（空間７０ｂの略半分、空間７０の略１／３）の大きさになっている。
【００６２】
そして、間仕切り板７５ｂが閉じて空間７０ｄに進入獣が閉じ込められている状態では、周部６３ａ方向は間仕切り板７５ｂにより外が見えない壁になるので、進入獣は、その習性により、視界が開けている周部６３ａと対向する奥側の周部６３ｃ方向へと更に移動する。なお、図８（Ａ）は、間仕切り板７５ａ、７５ｂが回動前の開いている状態を示す屠殺室３の平面図、図８（Ｂ）は、間仕切り板７５ａが回動後の閉じている状態及び間仕切り板７５ｂが回動前の開いている状態を示す屠殺室３の平面図、図８（Ｃ）は、間仕切り板７５ａ、７５ｂが回動後の閉じている状態を示す屠殺室３の平面図である。
【００６３】
ここで、周部６３ｃは、その一端がヒンジ７６ｃを介して回動自在に周部６３ｂの奥端（図８において上端）に取り付けられ、また、ヒンジ７６ｃと反対側の他端付近には把手６０が設けられ、更に、図示していないが、ヒンジ７６ｃと反対側の他端には、周部６３ｃの回動を阻止して固定するための施錠装置が設けられている。即ち、周部６３ｃは、屠殺室３に開閉且つ施錠可能に取り付けられた外に通ずる外扉としての機能を有している。
【００６４】
そして、屠殺室３の空間７０ｄに閉じ込められた進入獣は、上記したように、更に奥側の周部６３ｃ方向、即ち外扉側へと移動しているので、これにより補綴具等でこの進入獣を容易に捕獲できると共に、この捕獲した進入獣を外扉としての周部６３ｃを開けて容易に屠殺室３の外へ移動することができる。また、この進入獣を屠殺するときは、進入獣は狭い領域となる空間７０ｄに閉じ込められているので逃げ回ることができず、その結果、極めて容易に格子部の隙間から止め刺しすることが可能となる。
【００６５】
即ち、屠殺室３は、誘導捕獲柵罠２と同様に、獣類の、外が見える部分には突進して脱柵を試み、外が見えない部分には脱柵を試みない習性を利用し、屠殺室３内に進入した対象獣を自然に外扉（周部６３ｃ）側へと追い込み、この追い込んだ対象獣を、間仕切り板７５ａ、７５ｂにより屠殺室３の内部空間７０を区画してより小さい領域（７０ａ、７０ｂ、７０ｃ、７０ｄ）に閉じ込めるようになっている。
【００６６】
なお、間仕切り板７５ａ、７５ｂは、上記の説明では間仕切り板７５ａを閉めてから、間仕切り板７５ｂを閉めるようにしたが、これは限定することなく、屠殺室３内の進入獣の位置や、進入獣の図体の大きさ等によって、例えば、いきなり間仕切り板７５ｂを閉めて進入獣を空間７０ｄに閉じ込めるようにしてもよいし、或いは、間仕切り板７５ａだけ閉めて進入獣を空間７０ｂに閉じ込めた状態で、この進入獣を屠殺または移動するようにしてもよい。
【００６７】
また、間仕切り板７５ａ、７５ｂが回動前の開いている状態では、間仕切り板７５ａ、７５ｂが回動しないように仮止めする係止部材を適宜設けるようにしてもよい。但し、この係止部材による係止は、ロープ７７ａ、７７ｂを牽引したときに間仕切り板７５ａ、７
５ｂがこの係止部材から容易に係脱するように構成されているのが好ましい。
【００６８】
以上の説明から明らかなように、本発明の屠殺室付き誘導捕獲柵罠１は、獣類が侵入する誘導捕獲柵罠２の入口としての空間４１は、対象獣に合わせて選択的に開口でき、また、空間４１を全て開口したときは、全方位が開口されて見通しがよくなり、対象獣は全方位から誘導捕獲柵罠２内に侵入可能になっている。その結果、対象獣の捕獲経験が少なく高度な技術や知識が無い者であっても、対象獣として警戒心の強い猪や鹿等の個体を、群ごと確実且つ効率よく誘導捕獲柵罠２内に簡単に侵入させて捕獲することができる。
【００６９】
また、誘導捕獲柵罠２内に対象獣が侵入したら、扉板６を落下させて空間４１を閉塞し、誘導捕獲柵罠２にて捕獲した対象獣の視界を遮断するので、誘導捕獲柵罠２内に捕獲した対象獣は、その習性により誘導捕獲柵罠２本体へ突進して逃走を試みることがなく、その結果、誘導捕獲柵罠２本体の破損を防止できる。加えて、捕獲獣が傷ついて肉を痛めることなく、美味しい肉を提供でき、その結果、獣肉の資源活用に悪影響を及ぼすことがない。
【００７０】
また、誘導捕獲柵罠２内に捕獲した対象獣からは、屠殺室３だけが見通せるようになっているので、誘導捕獲柵罠２内の捕獲獣は、その習性により屠殺室３に向かって突進することとなり、その結果、誘導捕獲柵罠２内の捕獲獣を容易に屠殺室３へ誘導して進入させることができる。
【００７１】
また、屠殺室３内に対象獣が進入したら、扉板６５を落下させて屠殺室３を閉塞すると共に、間仕切り板７５ａ、７５ｂを閉じて、屠殺室３内に進入した対象獣をより小さい空間に閉じ込めるようにしている。しかも、この場合、扉板６５及び間仕切り板７５ａ、７５ｂは、屠殺室３内の進入獣の視界を遮断するので、屠殺室３内の進入獣は、その習性により、外扉（周部６３ｃ）側へと自然に移動するようになっている。その結果、屠殺室３内の進入獣の行動範囲を狭め、この進入獣を捕獲（移動）したり屠殺するために、人が屠殺室３の中に入って進入獣を追ったり、止め刺しをしたり、或いは、猟銃を用いて進入獣を仕留める必要がない。即ち、極めて安全且つ容易に、屠殺室３内の進入獣を処分することが可能となる。
【００７２】
以上、本発明の実施形態に係わる屠殺室付き誘導捕獲柵罠１を図面に基づいて説明してきたが、具体的な構成は実施形態に示したものに限定されるものではなく、本発明の要旨を逸脱しない範囲における変更や追加などがあっても本発明に含まれる。
【００７３】
例えば、上述の実施形態では、対象獣が侵入する誘導捕獲柵罠２の入口としての空間４１及び該空間４１を閉塞する扉板６は、１面に２列ずつ形成したが、これは限定することなく、１面に２列以上あってもよいし、１面に１列であってもよい。或いは、空間４０及び固定板５を省略し、その分、空間４１及び扉板６を高く形成するようにしてもよい。但し、あまり扉板６が大きくなると取り扱いに苦慮するので、空間４１及び扉板６は適宜な大きさ（例えば３０００×３０００ｍｍ以下）が好ましい。
【００７４】
更に、誘導捕獲柵罠２は、天地開放状で平面視すると正方形の箱枠状に形成したが、これは限定することなく、平面視すると、長方形や、その他の多角形でもよく、また、多様な地形に対応できるよう、支柱１０や各フレーム２０ａ、２０ｂ、２０ｃの種類を増やしたり、それらの接続を容易にして、誘導捕獲柵罠２をサイズ変更できるようにするとよい。
【符号の説明】
【００７５】
１…屠殺室付き誘導捕獲柵罠、  ２…誘導捕獲柵罠、
３…屠殺室、  ５…固定板、
５ａ…覗き穴、  ６、６５…扉板、
６ａ…持ち手、  ７、７７ａ、７７ｂ、８０…ロープ、
８…ボルト、  １０…支柱、
１１…溝型鋼、  １２、６８…スリット部、
１３…ストッパー、  ２０ａ…上横フレーム、
２０ｂ…中横フレーム、  ２０ｃ…下横フレーム、
２２…係止部材、  ３０…接続空間、
４０、４１、６４、７０、７０ａ、７０ｂ、７０ｃ、７０ｄ…空間、
５０…トリガー装置、  ６０…把手、
６１…天部、  ６２…底部、
６３ａ、６３ｂ、６３ｃ、６３ｄ…周部、
６６ａ、６６ｂ…縦フレーム、  ６７ａ、６７ｂ…横フレーム、
６９…枠穴部、  ７５ａ、７５ｂ…間仕切り板、
７６ａ、７６ｂ、７６ｃ…ヒンジ、  ７８ａ、７８ｂ…ストッパー片。
【図１】
2014128223.tif 000003
【図２】
2014128223.tif 000004
【図３】
2014128223.tif 000005
【図４】
2014128223.tif 000006
【図５】
2014128223.tif 000007
【図６】
2014128223.tif 000008
【図７】
2014128223.tif 000009
【図８】
2014128223.tif 000010